(57)【要約】【課題】  ユーザにとってより利便性が高いU/I画面を実現する。【解決手段】  本開示の一側面である情報処理装置は、ユーザ操作を入力する操作入力部と、カテゴリを選択するための複数のカテゴリ選択肢の列と、前記複数のカテゴリ選択肢のうちの選択されたものに属する選択肢である複数のアイコンの列とが直交配置されたU/I画面を生成するU/I画面生成部と、入力された前記ユーザ操作により前記複数のカテゴリ選択肢の列における前記選択肢の選択が変更された場合、前記アイコンの列の方向と同じ方向の回転軸を中心に前記アイコンを回転させるアニメーション表示により、前記複数のアイコンを、前記カテゴリの変更前に対応するものから前記カテゴリの変更後に対応するものに変更するアイコン回転部とを備える。本開示は、U/I画面を備えるあらゆる電子装置に適用できる。【選択図】  図２
2014130419.tif 000002
【特許請求の範囲】
【請求項１】
ユーザ操作を入力する操作入力部と、
カテゴリを選択するための複数のカテゴリ選択肢の列と、前記複数のカテゴリ選択肢のうちの選択されたものに属する選択肢である複数のアイコンの列とが直交配置されたU/I画面を生成するU/I画面生成部と、
入力された前記ユーザ操作により前記複数のカテゴリ選択肢の列における前記選択肢の選択が変更された場合、前記アイコンの列の方向と同じ方向の回転軸を中心に前記アイコンを回転させるアニメーション表示により、前記複数のアイコンを、前記カテゴリの変更前に対応するものから前記カテゴリの変更後に対応するものに変更するアイコン回転部と
を備える情報処理装置。
【請求項２】
前記アイコン回転部は、入力された前記ユーザ操作により前記複数のカテゴリ選択肢の列における前記選択肢の選択が、第１の方向に並ぶ他の前記選択肢に変更された場合と、前記第１の方向とは反対の第２の方向に並ぶ他の前記選択肢に変更された場合とでは、前記アイコンの列の方向と同じ方向の回転軸を中心に前記アイコンを回転させるアニメーション表示における前記アイコンの回転方向が反対である
請求項１に記載の情報処理装置。
【請求項３】
前記アイコン回転部は、入力された前記ユーザ操作により前記複数のカテゴリ選択肢の列における前記選択肢の選択が変更された場合、前記アイコンの列の方向と同じ方向の回転軸を中心に前記アイコンを回転させるアニメーション表示により、前記複数のアイコンを時間差を設けて、前記カテゴリの変更前に対応するものから前記カテゴリの変更後に対応するものに変更する
請求項２に記載の情報処理装置。
【請求項４】
前記アイコン回転部は、入力された前記ユーザ操作により前記複数のカテゴリ選択肢の列における前記選択肢の選択が変更された場合、前記アイコンの列の方向と同じ方向の回転軸を中心に前記アイコンを回転させるアニメーション表示により、前記複数のアイコンを不均等な時間差を設けて、前記カテゴリの変更前に対応するものから前記カテゴリの変更後に対応するものに変更する
請求項３に記載の情報処理装置。
【請求項５】
前記操作入力部は、操作音出力部および発光部を有し、
前記アイコン回転部、前記操作音出力部、および前記発光部は、同期して動作する
請求項２に記載の情報処理装置。
【請求項６】
前記アイコンは、板形状のタイルである
請求項２に記載の情報処理装置。
【請求項７】
前記タイルは、画像領域とテキスト領域を有する
請求項６に記載の情報処理装置。
【請求項８】
前記タイルの前記画像領域には前記タイルに対応する写真が表示され、
前記タイルの前記テキスト領域には前記タイルに対応する文字列がスクロール表示される
請求項７に記載の情報処理装置。
【請求項９】
前記アイコン回転部は、さらに、
前記アイコンの列に新たなアイコンを追加する場合、前記カテゴリ選択肢の列の方向と同じ方向の回転軸を中心に前記新たなアイコンを回転させるアニメーション表示により前記新たなアイコンを出現させ、
前記アイコンの列からアイコンを削除する場合、前記新たなアイコンを追加する場合とは逆回転のアニメーション表示により前記アイコンを削除する
請求項２に記載の情報処理装置。
【請求項１０】
コンテンツを表示するコンテンツ画面に前記U/I画面を透明度を有して重畳させる重畳部を
さらに備える請求項２に記載の情報処理装置。
【請求項１１】
前記重畳部は、
前記U/I画面を表示する場合、拡大された前記U/I画面を画面手前側から画面奥側に移動しながら本来のサイズまで縮小して前記コンテンツ画面に重畳させ、
前記U/I画面を消去する場合、前記コンテンツ画面に重畳されている前記U/I画面を画面奥側から画面手前側に移動しながら拡大して消去する
請求項１０に記載の情報処理装置。
【請求項１２】
情報処理装置の情報処理方法において、
前記情報処理装置による、
ユーザ操作を入力する操作入力ステップと、
カテゴリを選択するための複数のカテゴリ選択肢の列と、前記複数のカテゴリ選択肢のうちの選択されたものに属する選択肢である複数のアイコンの列とが直交配置されたU/I画面を生成するU/I画面生成ステップと、
入力された前記ユーザ操作により前記複数のカテゴリ選択肢の列における前記選択肢の選択が変更された場合、前記アイコンの列の方向と同じ方向の回転軸を中心に前記アイコンを回転させるアニメーション表示により、前記複数のアイコンを、前記カテゴリの変更前に対応するものから前記カテゴリの変更後に対応するものに変更するアイコン回転ステップと
を含む情報処理方法。
【請求項１３】
コンピュータを、
ユーザ操作を入力する操作入力部と、
カテゴリを選択するための複数のカテゴリ選択肢の列と、前記複数のカテゴリ選択肢のうちの選択されたものに属する選択肢である複数のアイコンの列とが直交配置されたU/I画面を生成するU/I画面生成部と、
入力された前記ユーザ操作により前記複数のカテゴリ選択肢の列における前記選択肢の選択が変更された場合、前記アイコンの列の方向と同じ方向の回転軸を中心に前記アイコンを回転させるアニメーション表示により、前記複数のアイコンを、前記カテゴリの変更前に対応するものから前記カテゴリの変更後に対応するものに変更するアイコン回転部と
して機能させるプログラム。
【発明の詳細な説明】
【技術分野】
【０００１】
本開示は、情報処理装置、情報処理方法、およびプログラムに関し、特に、ユーザが各種の操作を入力するためのユーザインタフェース画面の利便性を向上させるようにした情報処理装置、情報処理方法、およびプログラムに関する。
【背景技術】
【０００２】
近年、デジタル家電の多機能化が進んでおり、これに対するユーザからの操作や設定も複雑化している。
【０００３】
特に、ＴＶ（テレビジョン）受像機に代表されるＡＶ機器の分野においては、接続されている外部装置を選択したり、再生するコンテンツを選択したり、各種の設定を変更したりする様々な操作が増加傾向にある。これに対してユーザは、これらの操作をより容易に行なえることを望んでいるので、この要求に応えられるユーザインタフェース（以下、U/Iと称する）画面が望まれている。
【０００４】
そこで、本出願人はユーザにとって使い易い様々なU/I画面を以前から提案しており。例えば、各種操作や設定項目を選択するためのアイコンを画面に十字状に配置したクロスメディアバー（ソニー株式会社および株式会社ソニー・コンピュータエンタテインメントの商標）と称するU/I画面を提案している（特許文献１参照）。該U/I画面はＴＶ受像機、ビデオレコーダ、家庭用ゲーム機などに採用されている。
【先行技術文献】
【特許文献】
【０００５】
【特許文献１】特開２００４−３５６７７４公報（特許４２４０２９３）
【発明の概要】
【発明が解決しようとする課題】
【０００６】
ＴＶ受像機などのデジタル家電に対する各種の操作の増加傾向は今後も継続するものと想定される。したがって、ユーザからの視認性が高く、操作や設定の内容が直感的に理解できる利便性が高いU/I画面の出現が望まれている。
【０００７】
本開示はこのような状況に鑑みてなされたものであり、ユーザにとってより利便性が高いU/I画面を実現するものである。
【課題を解決するための手段】
【０００８】
本開示の一側面である情報処理装置は、ユーザ操作を入力する操作入力部と、カテゴリを選択するための複数のカテゴリ選択肢の列と、前記複数のカテゴリ選択肢のうちの選択されたものに属する選択肢である複数のアイコンの列とが直交配置されたU/I画面を生成するU/I画面生成部と、入力された前記ユーザ操作により前記複数のカテゴリ選択肢の列における前記選択肢の選択が変更された場合、前記アイコンの列の方向と同じ方向の回転軸を中心に前記アイコンを回転させるアニメーション表示により、前記複数のアイコンを、前記カテゴリの変更前に対応するものから前記カテゴリの変更後に対応するものに変更するアイコン回転部とを備える。
【０００９】
前記アイコン回転部は、入力された前記ユーザ操作により前記複数のカテゴリ選択肢の列における前記選択肢の選択が、第１の方向に並ぶ他の前記選択肢に変更された場合と、前記第１の方向とは反対の第２の方向に並ぶ他の前記選択肢に変更された場合とでは、前記アイコンの列の方向と同じ方向の回転軸を中心に前記アイコンを回転させるアニメーション表示における前記アイコンの回転方向が反対であるようにすることができる。
【００１０】
前記アイコン回転部は、入力された前記ユーザ操作により前記複数のカテゴリ選択肢の列における前記選択肢の選択が変更された場合、前記アイコンの列の方向と同じ方向の回転軸を中心に前記アイコンを回転させるアニメーション表示により、前記複数のアイコンを時間差を設けて、前記カテゴリの変更前に対応するものから前記カテゴリの変更後に対応するものに変更することができる。
【００１１】
前記アイコン回転部は、入力された前記ユーザ操作により前記複数のカテゴリ選択肢の列における前記選択肢の選択が変更された場合、前記アイコンの列の方向と同じ方向の回転軸を中心に前記アイコンを回転させるアニメーション表示により、前記複数のアイコンを不均等な時間差を設けて、前記カテゴリの変更前に対応するものから前記カテゴリの変更後に対応するものに変更することができる。
【００１２】
前記操作入力部は、操作音出力部および発光部を有し、前記アイコン回転部、前記操作音出力部、および前記発光部は、同期して動作することができる。
【００１３】
前記アイコンは、板形状のタイルとすることができる。
【００１４】
前記タイルは、画像領域とテキスト領域を有することができる。
【００１５】
前記タイルの前記画像領域には前記タイルに対応する写真が表示され、前記タイルの前記テキスト領域には前記タイルに対応する文字列がスクロール表示されるようにすることができる。
【００１６】
前記アイコン回転部は、さらに、前記アイコンの列に新たなアイコンを追加する場合、前記カテゴリ選択肢の列の方向と同じ方向の回転軸を中心に前記新たなアイコンを回転させるアニメーション表示により前記新たなアイコンを出現させ、前記アイコンの列からアイコンを削除する場合、前記新たなアイコンを追加する場合とは逆回転のアニメーション表示により前記アイコンを削除することができる。
【００１７】
本開示の一側面である情報処理装置は、コンテンツを表示するコンテンツ画面に前記U/I画面を透明度を有して重畳させる重畳部をさらに備えることができる。
【００１８】
前記重畳部は、前記U/I画面を表示する場合、拡大された前記U/I画面を画面手前側から画面奥側に移動しながら本来のサイズまで縮小して前記コンテンツ画面に重畳させ、前記U/I画面を消去する場合、前記コンテンツ画面に重畳されている前記U/I画面を画面奥側から画面手前側に移動しながら拡大して消去することができる。
【００１９】
本開示の一側面である情報処理方法は、情報処理装置の情報処理方法において、前記情報処理装置による、ユーザ操作を入力する操作入力ステップと、カテゴリを選択するための複数のカテゴリ選択肢の列と、前記複数のカテゴリ選択肢のうちの選択されたものに属する選択肢である複数のアイコンの列とが直交配置されたU/I画面を生成するU/I画面生成ステップと、入力された前記ユーザ操作により前記複数のカテゴリ選択肢の列における前記選択肢の選択が変更された場合、前記アイコンの列の方向と同じ方向の回転軸を中心に前記アイコンを回転させるアニメーション表示により、前記複数のアイコンを、前記カテゴリの変更前に対応するものから前記カテゴリの変更後に対応するものに変更するアイコン回転ステップとを含む。
【００２０】
本開示の一側面であるプログラムは、コンピュータを、ユーザ操作を入力する操作入力部と、カテゴリを選択するための複数のカテゴリ選択肢の列と、前記複数のカテゴリ選択肢のうちの選択されたものに属する選択肢である複数のアイコンの列とが直交配置されたU/I画面を生成するU/I画面生成部と、入力された前記ユーザ操作により前記複数のカテゴリ選択肢の列における前記選択肢の選択が変更された場合、前記アイコンの列の方向と同じ方向の回転軸を中心に前記アイコンを回転させるアニメーション表示により、前記複数のアイコンを、前記カテゴリの変更前に対応するものから前記カテゴリの変更後に対応するものに変更するアイコン回転部として機能させる。
【００２１】
本開示の一側面においては、カテゴリを選択するための複数のカテゴリ選択肢の列と、前記複数のカテゴリ選択肢のうちの選択されたものに属する選択肢である複数のアイコンの列とが直交配置されたU/I画面が生成され、ユーザ操作により前記複数のカテゴリ選択肢の列における前記選択肢の選択が変更された場合、前記アイコンの列の方向と同じ方向の回転軸を中心に前記アイコンを回転させるアニメーション表示により、前記複数のアイコンが、前記カテゴリの変更前に対応するものから前記カテゴリの変更後に対応するものに変更される。
【発明の効果】
【００２２】
本開示の一側面によれば、ユーザにとってより利便性が高いU/I画面を実現できる。
【図面の簡単な説明】
【００２３】
【図１】本開示を適用したＴＶ受像機の構成例を示すブロック図である。
【図２】U/I生成部の詳細な構造例を示すブロック図である。
【図３】画面の重層構造を説明するための図である。
【図４】U/I画面の表示例を表す図である。
【図５】タイルの詳細を表す図である。
【図６】U/I画面の表示例を表す図である。
【図７】U/I画面が表示されるときの画面遷移を表す図である。
【図８】U/I画面におけるカテゴリ変更時の画面遷移を表す図である。
【図９】U/I画面におけるタイルの回転を説明する図である。
【図１０】U/I画面におけるタイルの追加時の画面遷移を説明する図である。
【図１１】階層構造を有するフォルダの展開時の画面遷移を説明する図である。
【図１２】階層構造を有するフォルダの展開時の画面遷移を説明する図である。
【図１３】コンピュータの構成例を示すブロック図である。
【発明を実施するための形態】
【００２４】
以下、本開示を実施するための最良の形態（以下、実施の形態と称する）について、図面を参照しながら詳細に説明する。
＜実施の形態＞
［ＴＶ受像機の構成例］
【００２５】
図１は、本開示の実施の形態であるＴＶ受像機の構成例を示している。なお、以下においては、該ＴＶ受像機１０におけるＴＶ番組などの映像を処理する部位についてのみ言及するが、当然ながらＴＶ受像機１０にはＴＶ番組などの音声を処理する部位も有している。ただし、ＴＶ番組などの音声を処理する部位については、本開示に直接関係しないので、その説明を省略する。
【００２６】
該ＴＶ受像機１０は、操作入力部１１、制御部１２、U/I生成部１３、チューナ部１４、コンテンツ取得部１５、外部入力部１６、画面重畳部１７、表示制御部１８、およびディスプレイ１９を有する。
【００２７】
操作入力部１１は、ユーザが操作するリモートコントローラ（以下、リモコンと略称する）と、該リモコンが送信する操作信号を受信する受信部と、該受信部が操作信号を受信したことに応じて発光する発光部と、操作音を出力する操作音出力部とを有する（いずれも不図示）。
【００２８】
操作入力部１１は、リモコンがユーザからの操作に応じて操作信号を出力し、受信部が受信した操作信号を制御部１２に出力する。
【００２９】
該発光部は、例えばＴＶ受像機のディスプレイ１９を囲む外枠に設けられており、受信部により操作信号が受信されると、操作音出力部が出力する所定の操作音と同期して発光する。さらに、操作信号に基づくU/I画面（後述）上の画面遷移も、発光部の発光と、操作音の出力とに同期して行なわれる。
【００３０】
制御部１２は、操作入力部１１からの操作信号に基づき、ＴＶ受像機１０の各部を制御する。なお、制御部１２から各部への制御ラインの図示は省略する。
【００３１】
U/I生成部１３は、ＴＶ受像機１０に対するユーザからの操作や各種の設定変更などを入力するためのU/I画面やU/Iオプション画面の映像信号を生成して画面重畳部１７に出力する。
【００３２】
チューナ部１４は、図示せぬアンテナ線を介して入力されるＴＶ信号から、ユーザによる選局に対応するチャンネルのＴＳを抽出してデコードし、ＴＶ番組の映像信号を画像重畳部１７に入力する。コンテンツ取得部１５は、インターネットなどの双方向通信網を介して、所定のサーバにアクセスし、動画などのコンテンツを取得し、その映像信号を画面重畳部１７に出力する。また、コンテンツ取得部１５は、所定のサーバからアプリケーションプログラムを取得、実行し、その表示画面の映像信号を画面重畳部１７に出力する。
【００３３】
外部入力部１６は、ＴＶ受像機１０が有する端子（HDMI端子、Ｄ型端子、コンポーネント端子、Ｓ端子、RCA端子、USB端子など）に接続される外部装置（例えば、ビデオレコーダ、セットトップボックス、USBメモリなど）から入力される動画、静止画などの映像信号を画像重畳部１７に入力する。
【００３４】
画面重畳部１７は、ユーザがＴＶ番組を視聴するときはチューナ部１４から入力されるＴＶ番組の映像信号を後段に出力する。同様にユーザが、外部装置や所定のサーバから取得したコンテンツを視聴するときは該コンテンツの映像信号を後段に出力する。そして、ユーザからU/I画面の表示が指示された場合、U/I生成部１３からのU/I画面を、テレビ番組などの画面に重畳した状態の映像信号を生成して後段の表示制御部１８に出力する。
【００３５】
表示制御部１８は、画面重畳部１７から入力される映像信号に対して後段のディスプレイ１９に適した所定の信号処理を施してディスプレイ１９に出力する。ディスプレイ１９は、入力された映像信号に対応する画面を表示する。
【００３６】
図２は、U/I生成部１３の詳細な構成例を示している。U/I生成部１３は、タイル生成部２１、タイル回転部２２、およびテキスト表示生成部２３を有する。
【００３７】
タイル生成部２１は、各種の操作や設定変更などを指示する時にユーザが選択するアイコン（本開示においてはタイルと称する）をU/I画面上に表示させる。タイル回転部２２は、U/I画面上においてタイルが回転しているように見せるアニメーション表示を制御する。テキスト表示生成部２３は、U/I画面上における各種のテキスト表示を制御する。
【００３８】
［画面の重畳］
次に図３は、画面の重畳を説明するための図である。
【００３９】
同図Ａに示されるように、画面には下層から順にＴＶ番組（コンテンツ）画面３１、U/I画面３２、U/Iオプション画面３３が表示され得る重層構造を有する。
【００４０】
ＴＶ番組が視聴されている場合にはＴＶ番組（コンテンツ）画面３１だけが表示され、ＴＶ番組が視聴されている場合にユーザからの所定の操作に応じてU/I画面３２が表示されるときは、ＴＶ番組（コンテンツ）画面３１に対して透明度を有した状態で重畳される。すなわち、ＴＶ番組（コンテンツ）画面３１がU/I画面３２の下層（背景）となる。このとき、ＴＶ番組（コンテンツ）画面３１はU/I画面３２の下層に透けて見えるものの、U/I画面３２に対する視認性が損なわれない程度に輝度などが低下される。
【００４１】
ただし、U/I画面３２において「アプリケーション」のカテゴリに属するタイルが選択された場合には、U/I画面３２の下層（背景）となるＴＶ番組（コンテンツ）画面３１には、選択されたタイルに対応するアプリケーションケーションに対応付けられた画像（動画または静止画）が表示される。
【００４２】
すなわち、U/I画面３２の下層（背景）となるＴＶ番組（コンテンツ）画面３１の画像は、選択されたタイルと、受信しているＴＶ番組（または取得しているコンテンツ）との関連に応じて決定される。
【００４３】
さらに、U/I画面３２においてユーザからの所定の操作に応じてU/Iオプション画面３３が表示されるときは、U/I画面３２に対して透明度を有した状態で重畳される。このときも、U/Iオプション画面３３の下層にはU/I画面３２とＴＶ番組（コンテンツ）画面３１が透けて見えるものの、U/Iオプション画面３３に対する視認性が損なわれない程度に輝度などが低下される。
【００４４】
なお、同図Ｂに示されるように、U/I画面３２は、U/Iタイル層３２ａとU/Iテキスト層３２ｂからなり、U/I画面３２においてタイルとテキストが重畳する場合、U/Iタイル層３２ａの上層にU/Iテキスト層３２ｂが表示される。
【００４５】
［U/I画面の表示例］
次に図４は、U/I画面３２の初期状態の表示例を示している。
【００４６】
U/I画面３２には、ＴＶ受像機１０に対する各種操作の区分した全てのカテゴリネーム４１が縦方向に羅列される。同図の場合、カテゴリネーム４１として、おすすめ（Featured）、履歴（History）、テレビ（ＴＶ）、アプリケーション（Application）、接続機器（Connected Devices）、および設定（Settings）が表示される。このように、U/I画面３２上に全てのカテゴリネーム４１が表示されることにより、ユーザは操作したいカテゴリを速やかに見つけることができる。
【００４７】
また、U/I画面３２では、全てのカテゴリネーム４１のうちの選択されているものが選択されていないものと区別できるように表示される。同図においては、「テレビ」が選択されており、他のカテゴリネーム４１よりも文字サイズが大きく、太く画面中央付近で表示されている。これにより、ユーザは選択中のカテゴリネーム４１を速やかに把握することができる。
【００４８】
さらに、U/I画面３２には、選択中のカテゴリネーム４１の直下に、該カテゴリに属する各操作にそれぞれ対応するタイル４２が横方向に羅列される。羅列される複数のタイル４２のうち、選択されているものは選択されていないものと区別できるように表示される。同図の場合、タイル「テレビ１」だけが枠付で表示されている。
【００４９】
図４においては、「テレビ」のカテゴリに属する、各チャンネルの選局操作にそれぞれ対応する複数のタイル４２（タイル「テレビ１」、タイル「テレビ２」、・・・）が羅列されている。ユーザは、例えばタイル「テレビ１」を選択、決定することにより、テレビ１に対応するチャンネルを選局することができる。また、ユーザはタイル「テレビ１」、タイル「テレビ２」などの並び順を任意に変更することができる。タイル「テレビ５」の右側にタイル「テレビ６」の一部が表示されているのは、タイル「テレビ５」の右側にさらにタイルが存在することを意味する。
【００５０】
図５はタイル４２の詳細を示している。タイル４２は、画像領域５１とテキスト領域５２から構成される。画像領域５１には、該タイル４２に対応する操作をユーザが速やかに認識できるような画像が表示される。テキスト領域５２には、対応する操作を説明する文字列が表示される。なお、該文字列がタイル４２の横幅を超えるような長文である場合には、該文字列がスクロール表示される。
【００５１】
例えば「テレビ」のカテゴリに属するタイル４２の場合、画像領域５１には、選局するチャンネルで現在放送中のＴＶ番組の映像を動画また静止画で表示したり、放送局や該ＴＶ番組のマーク、ロゴタイプを表示したりする。
【００５２】
また例えば「接続機器」のカテゴリに属するタイル４２の場合、画像領域５１には、ＴＶ受像機１０が有する端子（HDMI端子、Ｄ型端子、コンポーネント端子、Ｓ端子、RCA端子、USB端子など）の写真、イラスト、マーク、ロゴタイプなどを表示したりする。
【００５３】
また例えば「アプリケーション」のカテゴリに属するタイル４２の場合、画像領域５１には、アプリケーションのマーク、ロゴタイプなどを表示したりする。
【００５４】
図４に戻る。またさらに、U/I画面３２では、オプション操作が可能なカテゴリネーム４１またはタイル４２が選択された場合、その画面の右下に所定の時間（数秒程）だけオプションボタン４３が表示される。オプションボタン４３を表示させることにより、ユーザに対してオプション操作が可能であることを知らせることができる。
【００５５】
該オプションボタン４３がユーザにより選択、決定されると、オプション操作を指示するためのU/Iオプション画面３３がU/I画面３２に重畳表示される。例えば、オプション操作として「全てのタイルを表示する」などがあり、それをユーザが選択、決定した場合、図６に示されるように、U/I画面３２上に「テレビ」のカテゴリに属する全てのタイル４２が表示される。
【００５６】
ただし、画面上に全てのタイル４２を表示しきれない場合、画面の端（同図の場合、下端）にタイル４２の一部が表示される。このように、タイル４２の一部を表示することにより、ユーザに対して表示しきれていないタイル４２の存在を通知することができ、ユーザは画面をスクロールさせることにより、表示しきれていないタイル４２を表示させることができる。
【００５７】
なお、本実施の形態では、U/I画面３２においてカテゴリネーム４１が縦方向に、選択されたカテゴリに属するタイル４２が横方向にＴ字状に羅列されるとしたが、十字状に羅列するようにしてもよい。また、カテゴリネーム４１が横方向に、選択されたカテゴリに属するタイル４２が縦方向にＴ字状または十字状に羅列するようにしてもよい。
【００５８】
［U/I画面３２が表示されるときの画面遷移］
次に図７は、U/I画面３２が表示されるときの画面遷移を表している。なお、以降の説明と図面においては、カテゴリネーム４１の文字列をカテゴリＡ乃至カテゴリＦ、例えばカテゴリＣに属するタイルを、Ｃ１，Ｃ２，・・・と表記する。
【００５９】
同図Ａに示されるようにＴＶ番組（コンテンツ）画面３１だけが表示されている場合において、ユーザからU/I画面３２を表示させる所定の操作が入力されると、U/I画面３２の表示が開始される。すなわち、同図Ｂに示されるように、カテゴリネーム４１だけが表示されているU/I画面３２が画面手前側から画面奥側に移動されつつ縮小されながらＴＶ番組（コンテンツ）画面３１の上層に配置される。なお、U/I画面３２の移動中にその透明度を徐々に上げてＴＶ番組（コンテンツ）画面３１が徐々に透けて見えるようにしてもよい。
【００６０】
そして、ＴＶ番組（コンテンツ）画面３１の上層にU/I画面３２が配置されると、同図Ｃおよび同図Ｄに示されるように、初期状態で選択されているカテゴリ（同図の場合、カテゴリＣ）の直下に該カテゴリに属する、板形状のタイル４２が横方向に伸びた回転軸を中心として９０度回転しながら出現する。なお、タイル４２の回転については後述する。このように、カテゴリネーム４１の表示と、タイル４２の表示に時間差を設けることにより、カテゴリネーム４１とタイル４２の所属関係をユーザに印象付けることができる。
【００６１】
さらに、U/I画面３２のオプションボタン４３が選択、決定されると、同図Ｅおよび同図Ｆに示されるように、U/I画面３２の表示と同様、U/Iオプション画面３３が画面手前側から画面奥側に移動されつつ縮小されながらU/I画面３２の上層に配置される。
【００６２】
なお、ユーザの所定の操作に応じてU/Iオプション画面３３やU/I画面３２が閉じられる（消去される）ときは、上述した画面遷移と逆の表示が行なわれる。すなわち、U/Iオプション画面３３やU/I画面３２が画面奥方向から手前方向に移動されつつ拡大しながら画面上から消去される。
【００６３】
［U/I画面におけるカテゴリ変更時の画面遷移］
図８は、U/I画面３２におけるカテゴリ変更時の画面遷移を表している。
【００６４】
U/I画面３２において、カテゴリＣが選択されている状態から、ユーザの所定の操作（例えば、リモコンに備えられた上方向ボタンを押下するなど）に応じてカテゴリＢが選択された場合、U/I画面３２は同図Ｃから同図Ａに遷移する。
【００６５】
このとき、カテゴリＣに属するタイルＣ１，Ｃ２・・・は、同図Ｂに示されるように、その縦方向の辺の中心を通る横方向に延びた回転軸を中心として１８０度回転しながら、カテゴリＣの直下からカテゴリＢの直下までわずかに上方に移動するアニメーション表示により、カテゴリＢに属するタイルＢ１，Ｂ２・・・へと切り替えられる。
【００６６】
なお、タイルが回転しながら移動する際には、図３Ｂに示されたように、U/Iタイル層３２ａに対してU/Iテキスト層３２ｂが上層にあるので、タイルＣ１，Ｃ２・・・は、カテゴリＣの文字列の下を通過するようにアニメーション表示が行なわれる。これにより、選択しているカテゴリが変更されたことをユーザに視覚的に知らせることができる。
【００６７】
図９は、同図Ａから同図ＩのタイルＣ１，Ｃ２・・・が回転によりタイルＢ１，Ｂ２・・・へと切り替えられる様子を表している。
【００６８】
すなわち、カテゴリＣに属するタイルＣ１，Ｃ２・・・は、板形状であって、その裏面にはカテゴリＢに対応する表示があるものとして、その縦方向の辺の中心を通る横方向に延びた回転軸を中心として、その上辺が画面奥方向に、その下辺が画面手前方向に１８０度回転するアニメーション表示により、左側から順にカテゴリＢに属するタイルＢ１，Ｂ２・・・へと切り替えられる。
【００６９】
なお、タイルＣ１，Ｃ２・・・は、上述した説明の反対、すなわち、その上辺が画面手前方向に、その下辺が画面奥方向に１８０度回転するようにしてもよい。また、タイルＣ１，Ｃ２・・・の回転の時間間隔は一定でもよいし、例えば右側ほどその時間間隔を狭めるなどの可変としてもよい。さらに、タイルＣ１，Ｃ２・・・を一斉に回転させてもよい。
【００７０】
U/I画面３２において、カテゴリＣが選択されている状態から、ユーザの所定の操作（例えば、リモコンに備えられた下方向ボタンを押下するなど）に応じてカテゴリＤが選択された場合、U/I画面３２は同図Ｃから同図Ｅに遷移する。
【００７１】
このとき、カテゴリＣに属するタイルＣ１，Ｃ２・・・は、同図Ｄに示されるように、その縦方向の辺の中心を通る回転軸を中心として１８０度回転しながら、カテゴリＣの直下からカテゴリＤの直下までわずかに下方に移動するアニメーション表示により、カテゴリＤに属するタイルＤ１，Ｄ２・・・へと切り替えられる。
【００７２】
このときのタイルＣ１，Ｃ２・・・回転は、カテゴリが上方に移動されたときと反対の方向に回転される。タイルが回転しながら移動する際には、図３Ｂに示されたように、U/Iタイル層３２ａに対してU/Iテキスト層３２ｂが上層にあるので、タイルＣ１，Ｃ２・・・は、カテゴリＤの文字列の下を通過するようにアニメーション表示が行なわれる。これにより、選択しているカテゴリが変更されたことをユーザに視覚的に知らせることができる。
【００７３】
なお、本実施の形態においてはタイル４２を板形状としたが、板形状のタイルの代わりに、カテゴリの数と同じ数（いまの場合、６）の側面を有する柱形状（いまの場合、正６角形柱）を表示してもよい。例えば正６角形柱の場合、カテゴリＣが隣のカテゴリＤに変更されたときには、該正６角形柱を６０度回転させることになる。
【００７４】
［U/I画面におけるタイル追加時の画面遷移］
次に図１０は、U/I画面におけるタイル追加時の画面遷移を表している。
【００７５】
タイル４２の追加は、例えば、ＴＶ受像機１０の端子に電子機器が接続された（例えば、USB端子にUSBメモリが接続された）後、U/I画面３２において初めてカテゴリの「接続機器」のカテゴリが選択され、接続機器に属するタイル４２が羅列されるときなどに実行される。
【００７６】
具体的には、同図Ａに示されるタイルＸとタイルＺの間に、同図Ｂに示されるように、板形状のタイルＹはその側面をタイルＸとタイルＺの間に割り込ませるように出現する。そして、同図Ｃに示されるように、その横辺の中心を回転軸として９０度回転することにより、同図Ｂ乃至同図Ｆに示されるように、徐々にタイルＹの正面が見えるようにアニメーション表示される。
【００７７】
反対に、タイル４２（タイルＹ）の削除は、例えば、ＴＶ受像機１０の端子に接続されている電子機器が取り外された後、U/I画面３２において初めてカテゴリの「接続機器」のカテゴリが選択され、接続機器に属するタイル４２が羅列されるときなどに実行される。このときのタイルＹの表示は、上述したタイルＹが追加されたときと逆回転して消えるアニメーション表示が行なわれる。
【００７８】
なお、上述したタイル４２の追加のアニメーション表示は、例えば、横方向に羅列されている複数のタイルのうちの重要度が高いものを表したり、タイル４２の内部に表示される画像やテキストが更新されたりした場合などにも適用できる。反対に、上述したタイル４２の削除のアニメーション表示は、例えば、横方向に羅列されている複数のタイルのうちの重要度が低いものを一定時間表示した後に消去したりする場合などに適用できる。
【００７９】
このように、タイル４２が回転しながら追加されたり、削除されたりするアニメーション表示を用いることにより、新たに機器が接続されたことや重要な情報が存在することなどをユーザに視覚的に知らせることができる。
【００８０】
［階層構造を有するフォルダの展開時の画面遷移］
次に、図１１および図１２は、階層構造を有するフォルダの開閉時の画面遷移を表している。
【００８１】
以下に説明する階層構造を有するフォルダの開閉時の画面遷移は、例えば、ＴＶ受像機１０のUSB端子の接続されたUSBメモリから、階層構造を有するフォルダに記録されている画像データを読み出すような場合に行われる。
【００８２】
図１１Ａは、同階層のフォルダＡ、フォルダＢ、・・・が同一画面上に配置されたフォルダ一覧画面６１の表示例であり、フォルダＡが選択されている状態を示している。フォルダ一覧画面６１においてフォルダＡが選択、決定されると、同図Ｂに示されるようなフォルダＡに属するフォルダＡ１、フォルダＡ２、・・・が同一画面上に配置されたフォルダＡ画面６２が表示される。なお、フォルダ一覧画面６１、フォルダＡ画面６２は、外部入力部１６にて実行されるアプリケーションにより生成され、画面重畳部１７により、図８に示される画面遷移のアニメーション表示が行なわれる。
【００８３】
すなわち、図１２Ａに示されるフォルダ一覧画面６１において、ユーザからの操作によってフォルダＡが選択、決定されると、同図Ｂ乃至同図Ｄに示されるように、フォルダ一覧画面６１が画面奥側から画面手前側に移動されつつ拡大されながら消去され、次いで縮小されたフォルダＡ画面６２が出現し、該フォルダＡ画面６２が画面奥側から画面手前側に移動されつつ拡大されて画面上に配置されるようにアニメーション表示が行なわれる。
【００８４】
なお、ユーザの所定の操作に応じて表示するフォルダの階層を上げる場合（表示しているフォルダを閉じる場合）、上述した画面遷移と逆のアニメーション表示が行なわれる。
【００８５】
このようなアニメーション表示により、ユーザに対してフォルダの階層の上下関係とその開閉動作を視覚的に知らせることができる。
【００８６】
該アニメーション表示は、フォルダの開閉時だけでなく、階層構造を有するものを表示する際の階層移動時に適用できる。
【００８７】
なお、以上に説明したU/I画面３２やフォルダ一覧画面６１は、本開示の実施の形態であるＴＶ受像機１０に限らず、U/I画面を備えるあらゆる電子装置に適用できる。
【００８８】
ところで、上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。ここで、コンピュータには、専用のハードウェアに組み込まれているコンピュータや、各種のプログラムをインストールすることで、各種の機能を実行することが可能な、例えば汎用のパーソナルコンピュータなどが含まれる。
【００８９】
図１１は、上述した一連の処理をプログラムにより実行するコンピュータのハードウェアの構成例を示すブロック図である。
【００９０】
該コンピュータ１００において、CPU（Central Processing Unit）１０１，ROM（Read Only Memory）１０２，RAM（Random Access Memory）１０３は、バス１０４により相互に接続されている。
【００９１】
バス１０４には、さらに、入出力インタフェース１０５が接続されている。入出力インタフェース１０５には、入力部１０６、出力部１０７、記憶部１０８、通信部１０９、およびドライブ１１０が接続されている。
【００９２】
入力部１０６は、キーボード、マウス、マイクロフォンなどよりなる。出力部１０７は、ディスプレイ、スピーカなどよりなる。記憶部１０８は、ハードディスクや不揮発性のメモリなどよりなる。通信部１０９は、ネットワークインタフェースなどよりなる。ドライブ１１０は、磁気ディスク、光ディスク、光磁気ディスク、又は半導体メモリなどのリムーバブルメディア１１１を駆動する。
【００９３】
以上のように構成されるコンピュータ１００では、CPU１０１が、例えば、記憶部１０８に記憶されているプログラムを、入出力インタフェース１０５およびバス１０４を介して、RAM１０３にロードして実行することにより、上述した一連の処理が行われる。
【００９４】
なお、コンピュータが実行するプログラムは、本明細書で説明する順序に沿って時系列に処理が行われるプログラムであってもよいし、並列に、あるいは呼び出しが行われたとき等の必要なタイミングで処理が行われるプログラムであってもよい。
【００９５】
なお、本開示の実施の形態は、上述した実施の形態に限定されるものではなく、本開示の要旨を逸脱しない範囲において種々の変更が可能である。
【符号の説明】
【００９６】
１０  ＴＶ受像機，  １１  操作入力部，  １２  制御部，  １３  U/I生成部，  １４  チューナ部，  １５  コンテンツ取得部，  １６  外部入力部，  １７  画面重畳部，  １８  表示制御部，  １９  ディスプレイ，  ２１  タイル生成部，  ２２  タイル回転部，  ２３  テキスト表示生成部，  ３２  U/I画面，  ４１  カテゴリネーム，  ４２  タイル，  ４３  オプションボタン，  ５１  画像領域，  ５２  テキスト領域，  １００  コンピュータ，  １０１  CPU
【図１】
2014130419.tif 000003
【図２】
2014130419.tif 000004
【図３】
2014130419.tif 000005
【図４】
2014130419.tif 000006
【図５】
2014130419.tif 000007
【図６】
2014130419.tif 000008
【図７】
2014130419.tif 000009
【図８】
2014130419.tif 000010
【図９】
2014130419.tif 000011
【図１０】
2014130419.tif 000012
【図１１】
2014130419.tif 000013
【図１２】
2014130419.tif 000014
【図１３】
2014130419.tif 000015